(57)【特許請求の範囲】
【請求項１】
底部及び該底部の左右側縁部にそれぞれ立設された左右の側部を備え、上記左右の側部の間にこれら側部に沿って立てた状態で複数のパネルを上記底部上に載せることが可能なパレット本体と、上記パレット本体の前部及び後部にそれぞれ設けられ、かつ、上記底部上に載せられたパネルの前後への移動を規制する規制部と、該規制部から上記底部上に載せられた複数のパネル同士の間にそれぞれ延出した状態で設けられ複数のガイドバーとを具備してなり、上記前後の規制部のうちの少なくとも一方が、上記底部上に載せられたパネルの前後への移動を規制する状態から規制しない状態に移動可能となっており、
上記左右の側部は、上記底部上に載せられたパネルより低くなっており、
上記規制部がパネルの前後動を規制する状態では、上記規制部及びガイドバーがパネルの上端部より低い位置に配置されていることを特徴とするパネル用パレット。
【請求項２】
上記前後の規制部のうちの少なくとも一方は、その左右の両端部がそれぞれ上記左右の側部に回動自在に接合されて、上記パレット本体の前部もしくは後部から上記パレット本体の上方に回動移動可能となっていることを特徴とする請求項１記載のパネル用パレット。
【請求項３】
上記ガイドバーに、上記パレット本体に立てた状態に載せられたパネルを上下に案内するガイドローラが設けられていることを特徴とする請求項１または２記載のパネル用パレット。
【請求項４】
上記ガイドバーの少なくとも先端部が前後左右上下に移動可能となっていることを特徴とする請求項１、２または３記載のパネル用パレット。
【請求項５】
上記底部上に載せられた複数のパネル同士の間にそれぞれ配置されるように上記底部から上方に延出した状態に設けられたガイド部が備えられていることを特徴とする請求項１、２、３または４記載のパネル用パレット。
【請求項６】
上記ガイド部が左右に移動可能とされるとともに、上記ガイド部に、上記パレット本体に立てた状態に載せられたパネルを前後に案内する下部ガイドローラが設けられていることを特徴とする請求項５記載のパネル用パレット。
【発明の詳細な説明】
【０００１】
【発明の属する技術分野】
本発明は、壁パネル、床パネル、屋根パネル等の板状の建築資材を建築現場まで運送して、搬入する際に使用するパネル用パレットに関する。
【０００２】
【従来の技術】
プレハブ住宅を施工する方法の一つとして、住宅の床、壁、屋根等をパネルを用いて施工する方法が知られている。この施工方法は、予め工場等において木製の芯材（枠材）を枠組みすることにより枠体を形成し、この枠体の両面または片面に合板等の面材を貼設することにより、床パネル、壁パネル、屋根パネル等の構造用パネルを製造し、建築現場においてこれらの構造用パネルを組み付けていくことにより建物を構築する方法である。
【０００３】
そして、最近においては、このような構造用パネルを用いた住宅施工の工業化をさらに推し進めるために、例えば工場にて複数のパネルを接合して大型連結パネルを製造し、この大型連結パネルを建築現場に運送してその建築現場にて大型連結パネルどうしを接合しながら建て込むことにより、現場施工をより簡略化した施工方法が採用される場合がある。
また、このような大型連結パネルにおいては、サイディングや屋根材等の各種外装材や、各種内装材や、窓サッシやドアサッシなどを予め工場で取り付けた状態とすることにより、さらに、現場施工の簡略化を進めている。
【０００４】
前記大型連結パネル（以下パネルと略称する）を建築現場に輸送する場合トラックを使用しているが、このトラックの荷台にパネルを倒して平積みすると、パネルの幅が荷台の幅より大きい場合、当該パネルが荷台からはみ出してしまうので、このようなパネルを荷台に積み込む場合、複数のパネルを起立した状態で専用のパネル用パレットに収納して、このパレットによってパネルの倒れを防止して荷台に積み込むようにしている。
【０００５】
従来、上記パレットは、例えば、パネルを立てた状態に載せる矩形状の底板と、該底板の左右側縁部に立設されてパネルを立てた状態に支持する左右の側板とからなっていた。
そして、上記パネルをパレットに積み込む際には、パネルを製造する工場において専用の搬送装置により、製造されたパネルを起立させるとともに水平にスライド移動させてパレットの前部もしくは後部からパレット内に入れている。
また、建築現場に搬送されたパレットからパネルを出す際には、クレーン等によりパネルを吊り上げてパレットの上方側に搬出している。
【０００６】
【発明が解決しようとする課題】
ところで、パレットに複数のパネルを立てた状態に積んで搬送する際には、パネル同士がぶつかって破損しないように、例えば、パネル同士の間にスペーサとなる部材を挟んだ状態としていた。
しかし、上述のようにパレットからパネルを吊り上げて搬出する際に、上記スペーサを取り外すと、パネルが、例えば、窓サッシのガラスの重みなどにより隣接するパネルやパレットの側板側に倒れかかる可能性があった。そして、もしパネルが隣接するパネルやパレットの側板に倒れかかった場合には、パネルの表面に傷がつく可能性があった。
なお、パレットには、側板があるので、パネルが完全に倒れてしまうようなことはない。
【０００７】
なお、上記の課題を解決する技術を、出願人の蓄積資料から検索した結果、上述のパレットの一般的技術として、実公平４−１９１５２と実公平４−１９１５３が見つかり、比較的近い技術として実開平３−９０８４０と特開平７−２４２２４２とが見つかった。
上記実公平４−１９１５２及び実公平４−１９１５３は、基本的に、本発明の底部と左右の側部とからなるとともに、左右の側部の間の底部上に中心枠を設けたものであるが、本発明の規制部及び該規制部から延出するガイドバーに対応する構成がなく、また、中心枠もパレット上の各パネル同士の間に配置されて、各パネル同士がぶつからないように仕切るものではなく、単に、パネルを立てかけるためのものである。
また、実開平３−９０８４０には、複数のパネル間に一対ずつ配置されるパイプ上スペーサが開示されていますが、パイプ状スペーサの上に上側桿部材が取り付けられており、この上側桿部材を取り外さなければ、パレット内のパネルを上方に吊り上げられないようになっている。
また、特開平７−２４２２４２には、パネル間に配置される棒状仕切り部材が開示されていますが、パレットに載置されたパネル上に上部フレームが配置されており、パネルを吊り上げる操作を行う際に、上部フレームが邪魔になるようになっている。
【０００８】
本発明は、上記事情に鑑みてなされたものであり、パネルを横方向から積み込んでからパネルを吊り上げて上方に搬出するまでの間、積み込まれた複数のパネルをそれぞれ立てた状態に保つことができ、パネルの上方への搬出に際して、パネルが倒れかかることがないパネル用パレットを提供することを目的とするものである。
【０００９】
【課題を解決するための手段】
本発明の請求項１記載のパネル用パレットは、図１に示すように底部１及び該底部１の左右側縁部にそれぞれ立設された左右の側部５、５を備え、上記左右の側部５、５の間にこれら側部５、５に沿って立てた状態で複数のパネルＰを上記底部１上に載せることが可能なパレット本体１０と、上記パレット本体１０の前部及び後部にそれぞれ設けられ、かつ、上記底部１上に載せられたパネルＰの前後への移動を規制する規制部２０、２０と、該規制部２０、２０から上記底部１上に載せられた複数のパネルＰ同士の間にそれぞれ延出した状態で設けられ複数のガイドバー３０とを具備してなり、上記前後の規制部２０、２０のうちの少なくとも一方が、上記底部１上に載せられたパネルＰの前後への移動を規制する状態から規制しない状態に移動可能となっており、上記左右の側部は、上記底部上に載せられたパネルより低くなっており、上記規制部がパネルの前後動を規制する状態では、上記規制部及びガイドバーがパネルの上端部より低い位置に配置されていることを上記課題の解決手段とした。
【００１０】
上記構成によれば、上記前後の規制部２０、２０のうちの一方を底部１上に載せられたパネルＰの前後への移動を規制しない状態に移動し、この状態で、一方の規制部２０側からパネルＰを立てた状態でパレットＡ内に搬入する。
この際に、パレットＡ内に搬入されたパネルＰを他方の規制部のガイドバー３０に支持させた状態とすることにより、複数のパネルＰを積み込む場合に、既に積み込まれたパネルＰが倒れるのを防止することができる。
すなわち、他方の規制部１０のガイドバー３０に沿ってパネルＰをパレットＡ内に搬入することで、パレットＡ内の複数のパネルＰ同士の間に他方の規制部２０のガイドバー３０を挟んだ状態とすることができる。
【００１１】
次に、規制部２０を上記底部１上に載せられたパネルＰの前後への移動を規制する状態とすることにより、パレットＡ内のパネルＰが前後に移動するのを規制することができるとともに、一方の規制部２０のガイドバー３０も各パネルＰ間に配置され、搬送中に各パネルＰが隣接するパネルＰに倒れかかるのを防止することができる。
なお、規制部２０を上記底部１上に載せられたパネルＰの前後への移動を規制する状態とした後に、両方の規制部２０のガイドバー３０を各パネルＰの間に配置するようにしても良い。
そして、この状態で建設現場にパレットＡを搬送する。
次いで、建設現場においてパレットＡからパネルＰを搬出する際には、各パネルＰの間にガイドバー３０が挟まれた状態で、パネルＰをクレーン等により吊り上げることにより、パネルＰを上方に搬出することになるので、順次パネルＰを搬出した際に、残されたパネルＰはガイドバー３０に支持された状態であり、残されたパネルＰが隣接するパネルＰに倒れかかったりすることがなく、パネルＰの表面が傷つくのを防止することができる。
【００１２】
なお、上記底部１及び側部５、５は、例えば、矩形板状のものでも良いが、パレットＡを軽量化する上では、矩形フレーム状のものが好ましい。
また、上記規制部２０は、例えば、その左右両端部が左右の側部に接合されることにより、パレット本体１０の前部や後部に配置されるが、下端部が底部１に配置されることによりパレット本体１０の前部や後部に配置されるものとしても良い。
【００１３】
また、前後の規制部２０のうちの少なくとも一方を、上記底部１上に載せられたパネルＰの前後への移動を規制する状態から規制しない状態に移動可能とする際には、上記規制部２０をパレット本体１０に着脱可能としても良いし、上記請求項２の構成に示すように回動移動させるものとしても良い。
また、規制部２０の形状は特に限定されるものではなく、パレット本体１０の前部や後部に配置した際に、パネルＰの前後への移動を規制できるものならば良い。
【００１４】
また、ガイドバー３０は、パレット本体１０に載せられた複数のパネルＰ同士の間にそれぞれ規制部２０、２０から延出した状態で配置されるものならば良い。
また、ガイドバー３０がパレット本体１０上に載せられた複数のパネルＰ同士の間だけではなく、左右の一番外側に載せられたパネルＰの外側に配置されても良い。
また、ガイドバー３０のパネルＰに接触する部分は、パネルＰを前後や上下に動かした際に、パネルＰを傷つけない構成となっている必要があり、柔軟性を有する部材からなることが好ましい。また、ガイドバー３０を規制部に対して着脱自在なものとしても良い。
【００１５】
本発明の請求項２記載のパネル用パレットは、上記前後の規制部２０のうちの少なくとも一方が、その左右の両端部がそれぞれ上記左右の側部５、５に回動自在に接合されて、上記パレット本体１０の前部もしくは後部から上記パレット本体１０の上方に回動移動可能となっていることを上記課題の解決手段とした。
上記構成によれば、前後の規制部２０、２０のうちの少なくとも一方を回動移動させることにより、上述のように規制部２０を上記底部１上に載せられたパネルＰの前後への移動を規制する状態から規制しない状態に容易に移動することができる。
【００１６】
本発明の請求項３記載のパネル用パレットは、上記ガイドバー３０に、上記パレット本体１０に立てた状態に載せられたパネルＰを上下に案内するガイドローラ３４が設けられていることを上記課題の解決手段とした。
上記構成によれば、パレットＡからパネルＰを吊り上げて搬出する際に、吊り上げられるパネルＰがガイドバー３０のガイドローラ３４に案内されるので、ガイドバー３０とパネルＰとが擦れてパネルＰの表面に傷がつくのを防止することができる。
なお、ガイドローラ３４の外周部は、例えば、ゴムなどの柔軟性を有する部材で形成されていることが好ましい。
【００１７】
本発明の請求項４記載のパネル用パレットは、上記ガイドバー３０の少なくとも先端部が前後左右上下に移動可能となっていることを上記課題の解決手段とした。
上記構成によれば、パネルＰの大きさや厚みなどのサイズが異なる場合や、パレットＡに載せられるパネルＰの枚数が異なる場合などに、ガイドバー３０の少なくとも先端部の位置を最適化することができる。
【００１８】
なお、パネルＰの厚みの違いやパレットＡに載せるパネルＰの枚数の違いに容易に対応するために、上記ガイドバー３０は、その全体が規制部２０に対して左右にスライド移動できることが好ましい。
また、ガイドバー３０の少なくとも先端部は、パレット本体１０の中心部に向かって延出するように移動できることが好ましい。
【００１９】
本発明の請求項５記載のパネル用パレットは、上記底部１上に載せられた複数のパネルＰ同士の間にそれぞれ配置されるように上記底部１から上方に延出した状態に設けられたガイド部１１が備えられていることを上記課題の解決手段とした。
上記構成によれば、ガイド部１１によりパネルＰの下部を支持してパレットＡ内においてパネルＰが隣接するパネルＰに倒れかかるのを防止することができる。
【００２０】
すなわち、ガイドバー３０とガイド部１１との両方により確実のパレットＡ内のパネルＰが隣接するパネルＰに倒れかかるのを防止でき、特に、一方の規制部２０を、上記底部１上に載せられたパネルＰの前後への移動を規制しない状態に移動した際に、一方の規制部２０のガイドバー３０がパネルＰの同士の間から外れてしまう場合に、他方の規制部２０のガイドバー３０と上記ガイド部１１とにより、パネルＰが倒れかかるのを確実に防止することができる。
また、パネルＰの上部がガイドバー３０に支持された状態で、パネルＰの下端が左右にずれてしまうのをガイド部１１により防止することができる。
【００２１】
なお、ガイド部１１は、パレット本体１０に載せられた複数のパネルＰ同士の間にそれぞれ底部１から延出した状態で配置されるものならば良い。
また、ガイド部１１がパレット本体１０上に載せられた複数のパネルＰ同士の間だけではなく、左右の一番外側に載せられたパネルＰの外側に配置されても良い。
また、ガイド部１１のパネルＰに接触する部分は、パネルＰを前後や上下に動かした際に、パネルＰを傷つけない構成となっている必要があり、柔軟性を有する部材からなることが好ましい。
【００２２】
本発明の請求項６記載のパネル用パレットは、上記ガイド部１１が左右に移動可能とされるとともに、上記ガイド部１１に、上記パレット本体１０に立てた状態に載せられたパネルＰを前後に案内する下部ガイドローラ１４が設けられていることを上記課題の解決手段とした。
上記構成によれば、パネルＰの厚みの違いや、パネルＰの積載枚数の違いに対してガイド部１１を左右に移動することにより対応することができる。
また、パレットＡにパネルＰを積み込む際に、パネルＰがガイド部１１の下部ガイドローラ１４に案内されるので、ガイド部１１とパネルＰとが擦れてパネルＰの表面に傷がつくのを防止することができる。
なお、下部ガイドローラ１４は、上述のガイドローラ３４と向きが異なるが、構成は略同様もので良い。
【００２３】
【発明の実施の形態】
以下に、本発明の実施の形態の第一例のパネル用パレットについて図面を参照して説明する。
図１及び図２は、第一例のパネル用パレットＡを示すものである。
図１及び図２に示すように、第一例のパネル用パレットＡは、矩形状の底部１及び該底部１の左右側縁部にそれぞれ立設された左右の側部５、５を備えたパレット本体１０と、上記パレット本体１０の前部及び後部にそれぞれ設けられた規制部２０と、該規制部２０に設けられた複数のガイドバー３０…とを具備してなるものである。
なお、パレットＡは、基本的にフレーム状の構造物であり、また、フレームは、比較的細い角形鋼管からなるものである。
また、パレットＡに積載されるパネルＰは、基本的には、上述の住宅の壁を構成する大型連結パネルであり、例えば、窓サッシ等が取り付けられたものを含むものであるが、基本的に板状の部材ならば、パレットＡに積載することができる。
【００２４】
上記底部１は、基本的にフレーム状のものであり、中央部の枠体２と、該枠体２の前部に設けられた前部枠体３と、枠体２の後部に設けられた後部枠体４とから矩形状に形成されている。
また、枠体２の内部には、底部１の短辺方向に沿って複数の棧材２ａ、２ａが配置されている。また、前部枠体３と後部枠体４の内部には、底部１の短辺方向に沿って複数の棧材（図２に前部枠体３の棧材だけを図示）３ａ、３ａが配置されている。
【００２５】
また、底部１の前部枠体３の棧材３ａと後部枠体４の棧材には、複数のガイド部１１…が左右に摺動自在に設けられている。
上記ガイド部１１…は、図２に示すように、前部枠体３の棧材３ａに左右（棧材３ａの長さ方向）に摺動自在に嵌合された基部１２と、基部１２から垂直に立設されたバー１３と、このバー１３の上端部に設けられた下部ガイドローラ１４とからなるものである。
【００２６】
上記基部１２は、チャンネル状に形成されるとともに、締め付け用のネジが螺合され、棧材３ａに沿って左右に移動できるとともに、ネジを締め付けることにより任意の位置で固定できるようになっている。
また、上記基部１２は、棧材３ａに対して着脱自在となっている。
なお、後部枠体４の棧材にも、前部枠体３の棧材３ａと同様にガイド部１１…が取り付けられている。
上記ガイドローラ１４は、その回転軸が垂直方向に配置されており、後述するようにパレットＡの前部側からスライド移動させてパネルＰをパレットＡ内に搬入する際に、パネルＰに接触するとパネルＰの移動に従って前後に回転するようになっている。
なお、ガイドローラ１４の外周部は、パネルＰに接触した際に、パネルＰの表面を傷つけないように、柔軟性を有する部材、例えば、ゴムからなっている。
【００２７】
上記左右の側部５、５は、底部１の中央部の枠体２の左右の側縁部から立設されたフレーム状のものであり、矩形状の枠体６と、枠体の左右側縁部に形成されたはしご状の補強部７、７とを有するものである。
また、左右の側部５、５のうちの少なくとも一方の側部には、図２に示すように、足場となる作業床８と、手摺帯９とが取り付けられるようになっている。
なお、作業床８は、その左右の側縁部（図２に一方の側縁部だけ図示）が側部５の左右の補強部７、７に締結されるとともにステー８ａの一方の端部に締結され、さらに、ステー８ａの他方の端部が補強部７に締結されており、これにより水平な状態でパレットＡの側部に固定できるようになっている。
【００２８】
また、上記手摺帯９は、その左右の端部がそれぞれブラケット９ａを介して側部５の補強部７、７に接合されている。また、ブラケット９ａは、補強部７、７に締結されている。
また、上記作業床８上に作業員が上がった場合に、パレットＡの転倒防止するために、上記側部５の補強部７、７には、図示しない伸縮自在な脚部が締結できるようになっている。そして、脚部を、補強部７の中央より僅かに下の位置から地面に向かって斜めに延出させることにより、パレットＡの転倒を防止できるようになっている。
【００２９】
上記規制部２０、２０は、図１に示すように、パレットＡの上部において、底部１の前部枠体３及び後部枠体４に対応する位置にそれぞれ設けられたものである。
そして、上記規制部２０は、図２に示すように底部１の短辺方向に沿って形成された棒状のガイド支持軸２１と、このガイド支持軸２１の左右端部からそれぞれ左右の側部５、５の上側の角部に延出して形成された棒状の回動部２２、２２とからなるものである。
【００３０】
また、左右の回動部２２、２２の端部は、それぞれ左右の側部５、５の上側縁部を形成する鋼材の端部にピン結合されて上下に回動自在とされている。また、規制部２０の回動部２２、２２には、回動部２２、２２を水平な状態にした場合に、側部５、５の端面に当接して、回動部２２、２２を水平な状態より下方に回動しないようにするためのストッパ２２ａ、２２ａが設けられている。
そして、規制部２０は、側部５、５の上側縁とほぼ同じ高さで水平な状態から少なくとも垂直に上方を向いた状態まで回動できるようになっている。
【００３１】
上記ガイドバー３０は、上記規制部２０のガイド支持軸２１に、該ガイド支持軸２１に沿って左右の摺動自在に取り付けられている。
ガイドバー３０は、図２に示すように、規制部２０のガイド支持軸２１に摺動自在に取り付けられたクランプ３１と、クランプ３１に垂直に取り付けられた棒状の第一のアーム３２と、この第一のアーム３２に水平に取り付けられた棒状の第二のアーム３３と、第二のアーム３３の先端部に二つずつ取り付けられたガイドローラ３４、３４とからなるものである。
【００３２】
上記クランプ３１は、規制部２０のガイド支持軸２１に左右に摺動自在に嵌合しているとともに、締め付けようのネジを有し、このネジを締め込むことにより、ガイドバー３０を任意の位置でガイド支持軸２１に固定できるようになっている。
また、上記クランプ３１は、ガイド支持軸２１に対して着脱自在に取り付けられている。
また、上記クランプ３１には、第一のアーム３２を上下動可能に垂直（規制部２０が水平な状態で）に接合するための筒部３１ａが形成されている。
【００３３】
そして、第一のアーム３２は、上記筒部３１ａに挿通されて、上下動自在にクランプ３１に接合されている。また、筒部３１ａには、締め付けようのネジが設けられ、該ネジを締め付けることにより、第一のアーム３２を任意の高さで固定できるようになっている。
また、第一のアーム３２には、第二のアーム３３を前後動可能に水平（規制部２０が水平な状態で）に接合するための筒部３２ａが形成されている。
【００３４】
そして、第二のアーム３３は、上記筒部３２ａに挿通されて、前後動自在に第一のアーム３２に接合されている。また、筒部３２ａには、締め付けようのネジが設けられ、該ネジを締め付けることにより、第二のアーム３２を任意の位置で固定できるようになっている。
また、第二のアーム３３の先端部には、二つのガイドローラ３４、３４が第二のアーム３３を軸として回動自在に設けられている。
【００３５】
上記ガイドローラ３４、３４は、後述するようにパレットＡからパネルＰを吊り上げて上方に搬出する際に、パネルＰに接触するとパネルＰの移動に従って上下に回転するようになっている。
なお、ガイドローラ１４の外周部は、パネルＰに接触した際に、パネルＰの表面を傷つけないように、柔軟性を有する部材、例えば、ゴムからなっている。
【００３６】
そして、ガイドバー３０は、上記構成によりそのガイドローラ３４、３４の部分が、クランプ３１を規制部２０のガイド支持軸２１に沿って左右に移動することにより左右に移動できるとともに、第一のアーム３２を上下に移動することにより上下に移動でき、さらに、第二のアーム３３を前後に移動することにより前後に移動できるようになっている。
なお、パレットＡの底部１上に所定の高さを有するパネルＰを載置し、かつ、規制部２０、２０がパネルＰの前後動を規制する位置に配置された状態では、パレットＡの左右の側部５、５、規制部２０、２０及びガイドバー３０…がパネルＰの上端部より低い位置に配置され、パネルＰを吊り上げる際の作業を容易に行えるようになっている。
【００３７】
次に、上述のような構成を有するパネル用パレットＡの使用方法と作用を説明する。
まず、パネルを製造する工場において、パレットＡにパネルＰを搬入する。この際には、例えば、パレットＡの前部（もしくは後部）の規制部２０を回動移動させて垂直に上方に向けた状態とする。
この状態では、パレットＡの前部が開いた状態となり、立てた状態のパネルＰを水平にスライド移動させて、パレットＡ内に搬入することができる。
【００３８】
なお、パネルＰをスライド移動させる際には、例えば、パレットＡをローラコンベア上に配置するとともに、ローラコンベアのローラが底部１の棧材３ａ、２ａの間から露出するようにすることで、容易にパネルＰをスライド移動させて、パネルＰをパレットＡ内に搬入することができる。
また、パネルＰの搬入に先だって、底部１のガイド部１１…同士の間隔と規制部２０のガイドバー３０…同士の間隔とを調整する。すなわち、ガイド部１１…同士の間隔及びガイドバー３０…同士の間隔をパネルＰの厚みより長いものとするとともに、パレットＡに積み込むパネルＰの枚数に対応したものとする。また、パレットＡに積み込むパネルＰの枚数に対応してガイド部１１…及びガイドバー３０…の取付個数を調整しても良い。
また、ガイドバー３０のガイドローラ３４の位置は、左右だけではなく上下及び前後にも移動できるので、パレットＡに積み込まれるパネルＰの高さや幅に対応して、ガイドローラ３４、３４の位置を上下や前後に移動する。
【００３９】
そして、パネルＰをパレットＡに搬入する際には、パレットＡの後部において、水平に配置された状態の規制部２０により、パネルＰの後部の規制部２０より後方への移動が規制された状態となっている。
また、パネルＰを搬入する際には、底部１の隣り合う二つのガイド部１１、１１の間にパネルＰが配置されるようにするとともに、後部側規制部２０の隣り合うガイドバー３０、３０の間にパネルＰが配置されるようにする。
また、この際に、ガイド部１１のガイドローラ１４にパネルＰが接触した場合には、ガイドローラ１４が前後に回転して、パネルＰを前後方向に案内する。また、パネルがガイドバー３０に接触した場合には、ガイドバー３０で最も外方に突出した状態のガイドローラ３４、３４に接触することになるが、ガイドローラ３４、３４が柔軟性を有する部材からなるので、パネルＰが傷つくことがない。
【００４０】
このようにして、複数のパネルＰを順次パレットＡに搬入することにより、パネルＰ同士の間に底部１のガイド部１１が配置されるとともに、後部側規制部２０のガイドバー３０が配置されることになり、隣り合った状態で搬入されたパネルＰ同士が互いに接触しない状態となる。
なお、パレットＡ内で立てた状態で重ねて配置されたパネルのうちの両端に配置されたパネルの外側にも、底部１のガイド部１と後部側規制部２０のガイドバー３０とが配置されることになる。
【００４１】
そして、パネルＰの搬入が終了した時点で、前部側の規制部２０を回動移動させて水平な状態とすることにより、パレットＡ内のパネルＰの前方側への移動が規制部２０により規制されることになる。
また、前部側の規制部２０を水平な状態に下げることにより、前部側規制部２０のガイドバー３０…が、パレットＡ内のパネルＰ同士の間と、両端のパネルＰの外側に配置されることになる。
【００４２】
次に、パネルＰの積み込まれたパレットＡを、例えば、トラック等の車両に載せて建築現場に搬送する。この際には、各パネルがガイド部１１及びガイドバー３０に支えられた状態なので、パネルＰ同時がぶつかったりすることがない。
そして、建築現場においては、パネルＰをクレーン等により吊り上げてパレットＡの上方から搬出することになるが、この際に、各パネルＰは、その左右を底部１のガイド部１１と、前後の規制部２０のガイドバー３０とにより囲まれた状態となっており、どのパネルＰからでも容易に吊り上げることができるとともに、この際に残されたパネルＰは、ガイド部１１及びガイドバー３０にもたれ掛かった状態となっており、隣に配置されたパネルＰに倒れかかるようなことがない。
【００４３】
なお、上述のようにパネルＰを吊り上げて上方に移動させた際に、パネルＰがガイドバー３０のガイドローラ３４、３４に接触した場合には、上記ガイドローラ３４、３４が上下に回転して、パネルＰの上方への移動を案内するようになっている。
そして、上述のように一つのパネルＰを吊り上げた際に、残されたパネルＰが隣のパネルＰや側部５に倒れかかるようなことがないので、パレットＡからのパネルＰの搬出時にパネルＰが倒れかかってパネルＰの表面に傷がつくのを防止することができる。
【００４４】
上述のように、パレットＡ内のどのパネルＰからでも容易にパネルＰを吊り上げられることから、積み込み時にパネルＰの積み込み順を考慮してパネルＰを積み込まなくても、必要なパネルＰを順次パレットＡから搬出することができるので、パレットＡへのパネルＰの積み込み作業及びパレットＡからのパネルＰの搬出作業を容易なものとすることができる。
【００４５】
次に、本発明の第２例のパネル用パレットを図面を参照して説明する。
図３及び図４は、第２例のパネル用パレットＢを示すものである。
なお、第二例のパレットＢは、第一例のパレットＡからガイド部１１…を除くととともに、第一例のパレットＡのガイドバー３０に代えてガイドバー４０を用いた以外は、第一例のパレットＡと同様のものであり、図３及び図４において、第一例のパレットＡと同様の構成要素に同一の符号付して、その説明を省略する。
【００４６】
図３及び図４に示すように、第二例のパレットＢのパレット本体１０及び規制部２０、２０は、第一例のものと同様のものである。
そして、規制部２０のガイド支持軸２１には、複数のガイドバー４０が、該ガイド支持軸２１に沿って左右の摺動自在に取り付けられている。
ガイドバー４０は、図３及び図４に示すように、規制部２０のガイド支持軸２１に摺動自在に取り付けられた基部４１と、基部４１に水平に取り付けられた第一の軸４２と、この第一の軸４２に垂直に取り付けられた第二の軸４３と、第二の軸４３の下端部に二つずつ取り付けられたガイドローラ４４、４４とからなるものである。
【００４７】
上記基部４１は、規制部２０のガイド支持軸２１に左右に手動自在に嵌合しているとともに、締め付け用のネジを有し、ネジを締め込むことにより、ガイドバー４０を任意の位置でガイド支持軸２１に固定できるようになっている。
そして、基部４１に第一の軸４２が規制部２０の回動部２２に沿うように取り付けられている。
【００４８】
また、第一の軸４２と第二の軸４３とは、接合部４２ａを介して違いに直角に接合されている。
上記接合部４２ａは、第一の軸４２に、第一の軸４２に沿って摺動自在に嵌合するとともに、第二の軸４３に、第二の軸４３に沿って摺動自在に嵌合している。
従って、第二の軸４３は、第一の軸４３に沿って前後に移動自在とされるとともに、第一の軸４３に対して上下に移動自在となっており、第一の軸４３の下端部に設けられたガイドローラ４４、４４は、左右、前後、上下に移動自在となっている。
【００４９】
また、上記ガイドローラ４４は、第二の軸４３の下端部において、その前後の側面に回動自在に接合されており、パレットＢからパネルＰを吊り上げて上方に搬出する際に、パネルＰに接触するとパネルＰの移動に従って上下に回転するようになっている。
従って、ガイドバー４０は、第一例のガイドバー３０とほぼ同様の作用を有するものである。
【００５０】
そして、第二例のパネル用パレットＢは、第一例のパネル用パレットＡと同様に使用することができるとともに、パレットＡと同様の作用効果を有するものである。
なお、第二例のパネル用パレットＢに、ガイド部１１を設けるものとしても良いし、第一例のパネル用パレットＡからガイド部１１を除くものとしても良い。また、パレットＢの底部１上に所定の高さを有するパネルＰを載置し、かつ、規制部２０、２０がパネルＰの前後動を規制する位置に配置された状態では、パレットＢの左右の側部５、５、規制部２０、２０及びガイドバー４０…がパネルＰの上端部より低い位置に配置され、パネルＰを吊り上げる際の作業を容易に行えるようになっている。
【００５１】
次に、本発明の第３例のパネル用パレットを図面を参照して説明する。
図５及び図６は、第３例のパネル用パレットＣを示すものである。
なお、第三例のパレットＣは、第一例のパレットＡの規制部２０に代えて規制部５０を用いるとともに、第一例のパレットＡのガイドバー３０に代えてガイドバー６０を用いた以外は、第一例のパレットＡと同様のものであり、図５及び図６において、第一例のパレットＡと同様の構成要素に同一の符号付して、その説明を省略する。
【００５２】
図５に示すように、第三例のパレットＣのパレット本体１０及びガイド部１１は、第一例のものと同様のものである。
そして、第三例のパレットＣの側部の前後の上側角部には、それぞれ規制部５０が水平に接合されて（なお、図５においては、パレットＣの前部側だけを図示）、パレットＣ内に積み込まれたパネルＰの前後への移動を規制するようになっている。
【００５３】
そして、規制部５０は、図５に示すように、底部１の短辺方向に沿って形成された棒状のガイド支持軸５１と、このガイド支持軸５１の左右端部からそれぞれ左右の側部５、５の上側の角部に延出して形成された棒状の支持軸５２、５２とからなるものである。
また、支持軸５２、５２は、それぞれ左右の側部５、５の上側縁部を形成する鋼材と一体に形成されており、側部５、５に固定された状態となっている。
【００５４】
また、図６に示すように、ガイド支持軸５１の左右両端部には、角形の鋼管からなる支持軸５２、５２の端部から、支持軸５２、５２に内に挿入されて、支持軸５２、５２とガイド支持軸５１の左右両端部とをそれぞれ着脱自在に接合する接合部５１ａ、５１ａが設けられている。
従って、ガイド支持軸５１は、パレット本体１０に対して着脱自在となっており、パネルＰをパレットＣの前部もしくは後部から積み込む際に、前部もしくは後部の規制部５０のガイド支持軸５１を外すことにより、パレットＣの前部もしくは後部を開放した状態とできるとともに、前部及び後部の規制部２０において、ガイド支持軸５１を取り付ける事により、パレットＣ内に積み込まれたパネルＰの前後動を規制できるようになっている。
【００５５】
上記ガイドバー６０は、図５に示すように、上記ガイド支持軸５１に、該ガイド支持軸５１に沿って摺動自在に嵌合された取付部６１、６１と、前部側のガイド支持軸５１に嵌合した取付部６１に前端部が着脱自在に接合されるとともに、後部側のガイド支持軸５１に嵌合した取付部６１に後端部が着脱自在に接合されて、側部５、５と平行に配置される規制バー６２、６２とからなるものである。上記取付部６１は、図６に示すように、ガイド支持軸５１に摺動自在に勘合する嵌合部６１ａと、規制バー６２に後述する接合部６２ａが挿入される筒部６１ｂとからなるものである。
【００５６】
上記規制バー６２は、角形鋼管からなるとともに、その前端部及び後端部が下方に直角に曲げられた構成の接合部６２ａとなっている。
そして、規制バー６２の接合部６２ａを取付部６１の筒部６１ｂに挿入することにより、規制バー６２の前後の両端部を取付部６１に接合することができるようになっている。
そして、取付部６１をガイド支持軸５１に沿って左右に移動させることにより、規制バー６２の間隔を代えることができるようになっている。
なお、パレットＣの底部１上に所定の高さを有するパネルＰを載置した状態では、パレットＢの左右の側部５、５、規制部５０、５０及びガイドバー６０…がパネルＰの上端部より低い位置に配置され、パネルＰを吊り上げる際の作業を容易に行えるようになっている。
【００５７】
次に、上記構成の第三例のパレットＣの使用方法と作用を説明する。
まず、パレットＣにパネルＰを立てた状態で搬入する際には、まず、上記ガイドバー６０の規制バー６２、６２を取付部６１、６１から取り外すとともに、前部（もしくは後部）の規制部５０において、ガイド支持軸５１を取り外した状態とする。
そして、底部１のガイド部１１同士の間にパネルＰが配置されるようにパレットＣのガイド支持軸５１を外された前部からパネルＰをスライド移動させて順次積み込む。
【００５８】
そして、パネルＰの積み込みが終了した段階で、外されたガイド支持軸５１を取り付ける。次いで、ガイドバー６０の規制バー６２の左右両端部をガイド支持軸５１に嵌合された取付部６１に接合する。
この際には、パネルＰの上端部を移動する等して、規制バー６２がパネルＰ同士の間に配置されるようにする。
【００５９】
従って、積み込まれた各パネルは、その左右が規制バー６２と規制バー６２もしくは規制バー６２と側部５とに囲まれた状態となる。
この状態で、パレットＣをトラック等に載せて建築現場まで搬送する。そして、建築現場において、パレットＣからパネルＰをクレーン等により吊り上げることで、パレットＣからパネルＰを搬出する。
【００６０】
この際には、上述のように各パネルが、その左右が規制バー６２と規制バー６２もしくは規制バー６２と側部５とに囲まれた状態となっているので、一枚のパネルＰを吊り上げた際に、残されたパネルＰが他のパネルＰや側部５、５に倒れかかることがなく、パネルＰが他のパネルＰや側部５、５に倒れかかることにより、表面に傷等がつくのを防止することができる。
【００６１】
また、各パネルＰがそれぞれ独立して立てられた状態となっており、各パネルＰが他のパネルＰに立てかけられた状態となっていないので、どのパネルＰからでも搬出することができることから、積み込み時にパネルＰの積み込み順を考慮してパネルＰを積み込まなくても、必要なパネルＰを順次パレットＡから搬出することができるので、パレットＡへのパネルＰの積み込み作業及びパレットＡからのパネルＰの搬出作業を容易なものとすることができる。
【００６２】
【発明の効果】
本発明の請求項１記載のパネル用パレットによれば、建設現場においてパレットからパネルを搬出する際には、各パネルの間にガイドバーが挟まれた状態で、パネルをクレーン等により吊り上げることにより、パネルを上方に搬出することになるので、順次パネルを搬出した際に、残されたパネルはガイドバーに支持された状態となり、残されたパネルが隣接するパネルに倒れかかったりすることがなく、パネルの表面が傷つくのを防止することができる。
【００６３】
本発明の請求項２記載のパネル用パレットによれば、前後の規制部のうちの少なくとも一方を回動移動させることにより、上述のように規制部を上記底部上に載せられたパネルの前後への移動を規制する状態から規制しない状態に容易に移動することができる。
【００６４】
本発明の請求項３記載のパネル用パレットによれば、パレットからパネルを吊り上げて搬出する際に、吊り上げられるパネルがガイドバーのガイドローラに案内されるので、ガイドバーとパネルとが擦れてパネルの表面に傷がつくのを防止することができる。
【００６５】
本発明の請求項４記載のパネル用パレットによれば、パネルの大きさや厚みが異なる場合や、パレットに載せられるパネルの枚数が異なる場合などに、ガイドバーの少なくとも先端部の位置を最適化することができる。
【００６６】
本発明の請求項５記載のパネル用パレットによれば、ガイド部によりパネルの下部を支持してパレット内においてパネルが隣接するパネルに倒れかかるのを防止することができる。
すなわち、ガイドバーとガイド部との両方により確実のパレット内のパネルが隣接するパネルに倒れかかるのを防止できる。
また、パネルの上部がガイドバーに支持された状態で、パネルの下端が左右にずれてしまうのをガイド部により防止することができる。
【００６７】
本発明の請求項６記載のパネル用パレットによれば、パネルの厚みの違いや、パネルの積載枚数の違いに対してガイド部を左右に移動することにより対応することができる。
また、パレットにパネルを積み込む際に、パネルがガイド部の下部ガイドローラに案内されるので、ガイド部とパネルとが擦れてパネルの表面に傷がつくのを防止することができる。
【図面の簡単な説明】
【図１】本発明の実施の形態の第一例のパネル用パレットを示す側面図である。
【図２】上記第一例のパネル用パレットを示す要部斜視図である。
【図３】本発明の実施の形態の第二例のパネル用パレットを示す側面図である。
【図４】上記第二例のパネル用パレットの規制部及びガイドバーを示す要部平面図である。
【図５】本発明の実施の形態の第三例のパネル用パレットを示す要部斜視図である。
【図６】上記第三例のパネル用パレットの規制部及びガイドバーを示す要部斜視図である。
【符号の説明】
Ａ    第一例のパネル用パレット
Ｂ    第二例のパネル用パレット
Ｃ    第三例のパネル用パレット
Ｐ    パネル
１    底部
５    側部
１０  パレット本体
１１  ガイド部
１４  ガイドローラ（下部ガイドローラ）
２０  規制部
３０  ガイドバー
３４  ガイドローラ
４０  ガイドバー
４４  ガイドローラ
５０  規制部
６０  ガイドバー
【図１】
0003858078.tif 000002
【図２】
0003858078.tif 000003
【図３】
0003858078.tif 000004
【図４】
0003858078.tif 000005
【図５】
0003858078.tif 000006
【図６】
0003858078.tif 000007